(57)【特許請求の範囲】
【請求項１】
開口部に配置される窓枠と、枠体に対して内倒し開閉可能に支持される障子と、障子の屋外側に配置される機能面材とを備え、
機能面材は、上下左右の框を四周組してなる機能面材本体の下端部に、窓枠に係止するための係止金具を取付けて形成されており、
係止金具は、下枠の上面に当接する本体部と、縦枠の屋内側面に当接する係止片と、下枠の屋外側面に当接する位置決め片を有し、機能面材を窓枠に取り付ける際に回動の支点となるものであり、
機能面材本体の左右縦框の外周面と係止金具の外周面が面一である
ことを特徴とする建具。
【発明の詳細な説明】
【技術分野】
【０００１】
建物開口部に設けられ、その屋外側に機能面材を備える建具に関する。
【背景技術】
【０００２】
従来、屋内側に回動して開閉可能な障子を配置した内倒し窓等の建具において、建具の障子の開閉と干渉しないように網戸や格子等の機能面材を屋外側に張り出して設けた建具が公知となっており、さらに、その機能面材を屋内側から設置するとともに機能面材の落下を防止して確実に着脱することができる建具として、機能面材に対して脱落防止手段が設けられた建具が公知となっている（特許文献１）。
【先行技術文献】
【特許文献】
【０００３】
【特許文献１】：特許第５２９８０５２号
【発明の概要】
【発明が解決しようとする課題】
【０００４】
上記先行技術文献の建具においては、機能面材である網戸の縦框（対向辺）の内周面に沿うように脱落防止部材が配置されており、網戸の取付け時には、脱落防止手段の第２当接部が縦枠見付け面部に当接し、網戸の取付け後には、脱落防止手段の第１当接部が縦枠見付け面部に当接して網戸の脱落を防止して取付けることができるものである。
しかしながら、脱落防止手段が、網戸の縦框の内周面に沿うように配置されていることから、内倒し窓の左右縦框と網戸の縦框（対向辺）との間隔を脱落防止手段の厚みの分だけ広げる必要があり、縦框の一部に設けられている脱落防止手段のために網戸の縦框全体に亘って内倒し窓との間隔を広げることとなり、好ましいものではなかった。
【０００５】
本発明は、上記の事情を鑑みたものであり、内倒し窓の窓枠及び障子と機能面材との隙間を必要最小限の状態に維持しながら、機能面材を内倒し窓の屋内側より確実に配置することができる建具を提供することを目的とする。
【課題を解決するための手段】
【０００６】
本発明は、開口部に配置される窓枠と、窓枠に対して内倒し開閉可能に支持される障子と、障子の屋外側に配置される機能面材とを備え、機能面材は、上下左右の框を四周組してなる機能面材本体の下端部に、窓枠に係止するための係止金具を取付けて形成されており、係止金具は、下枠の上面に当接する本体部と、縦枠の屋内側面に当接する係止片と、下枠の屋外側面に当接する位置決め片を有し、機能面材を窓枠に取り付ける際に回動の支点となるものであり、機能面材本体の左右縦框の外周面と係止金具の外周面が面一であることを特徴とする。
【発明の効果】
【０００７】
内倒し窓等の建具に対して、網戸等の機能面材と窓枠や障子との隙間を必要以上に大きくすることなく、機能面材を屋内側より簡単に取り付けることができる。
【図面の簡単な説明】
【０００８】
【図１】本発明の実施形態に係る建具の縦断面図である。
【図２】本発明の実施形態に係る建具の横断面図である。
【図３】本発明の実施形態に係る建具に固定する機能面材の一例である網戸の斜視図である。
【図４】本発明の実施形態に係る建具に対して機能面材を取り付けるための下方係止金具の図であり、（ａ）は平面図、（ｂ）は側面図、（ｃ）は正面図である。
【図５】本発明の実施形態に係る建具に対して機能面材を取り付けるための下方係止金具の取付け状態を説明するための図であり、（ａ）は下方係止金具を装着していない状態の機能面材の下方部位の側面図であり、（ｂ）は下方係止金具を装着した状態の機能面材の下方部位の側面図である。
【図６】本発明の実施形態に係る建具に対して機能面材を取り付けるための上方係止金具の装着状態を説明するための図であり、（ａ）は上方係止金具を非係止位置にした状態の機能面材上部の正面図であり、（ｂ）は上方係止金具を係止位置にした状態の機能面材上部の正面図である。
【図７】本発明の実施形態に係る建具（内倒し窓）に対して機能面材（網戸）を取り付ける手順を説明するための図であり、内倒し窓の屋内側から屋外側に網戸を挿入する状態の建具の縦断面図である。
【図８】本発明の実施形態に係る建具（内倒し窓）に対して機能面材（網戸）を取り付ける手順を説明するための図であり、窓枠の下枠に網戸の下端が当接した状態の建具の縦断面図である。
【図９】本発明の実施形態に係る建具（内倒し窓）に対して機能面材（網戸）を取り付ける手順を説明するための図であり、内倒し窓の屋外側に網戸を配置した状態の建具の縦断面図である。
【発明を実施するための形態】
【０００９】
（内倒し窓の構成）
図面を参照しながら、本発明の実施形態に係る建具を説明する。
本発明の実施形態に係る建具は、図１、２に示されるように、建物の外周に配置された上枠１１，下枠１２及び左右の縦枠１３，１４を四周に組んでなる窓枠１に対して、上框２１，下框２２及び左右の縦框２３，２４を四周に組んで内周にガラス等パネルを装着してなる障子２を開閉自在に配置するとともに、窓枠１の屋外側に機能面材である網戸３を取り付けて構成されている。
【００１０】
窓枠１を構成する上枠１１は、図１に示すように、中空形状を有する上枠本体部１１１と、上枠本体部１１１の屋外側より下方に延設される上外壁部１１２とから構成されている。
下枠１２は、内周面を形成するとともに屋外側下方に中空の水切り部を有する下枠本体部１２１と、下枠本体部１２１の室内側に立ち上がる中空構造の立上壁１２２とから構成され、立上壁１２２の屋外側面には障子２を回動自在に支持するヒンジ部材１５が取り付けられている。
【００１１】
窓枠１を構成する左右の縦枠１３、１４は、図２に示すように、略同一形状をなしており、それぞれ縦枠１３，１４の内周面を形成する左右の縦枠本体部１３１，１４１と、縦枠本体部１３１，１４１の屋外側内周面に固定されて内周方向に突出する左、右外壁部１３２，１４２と、縦枠本体部１３１，１４１の見込み方向やや屋内よりの内周面より内周方向に突出し、その屋内側に気密材を備える気密片１３３，１４３とから構成されている。
そして、左、右外壁部１３２，１４２の内周端には気密材ｓ１３，ｓ１４が取り付けられており、その気密材ｓ１３，ｓ１４の内周側に伸びる舌片ｓ１３２、ｓ１４２（ｓ１４２の図示はない。）が後述する網戸３の縦框側壁部３３２，３４２の外周面に当接している。
【００１２】
障子２を構成する上框２１は、図１に示すように、障子２の上方外周面を形成する中空部の内周面にガラス間口が形成されてなる上框本体部２１１と、上框本体部２１１の外周面の屋内側端より上方に延設される上框内壁部２１２とから構成されている。
同下框２２は、障子２の下方外周面を形成する部位の内周面にガラス間口が形成されてなる下框本体部２２１と、下框本体部２２１の外周面の屋外側端より下方に延下される下框外壁部２２２と、下框本体部２２１の外周面の屋内側端より下方に延下されるヒンジ片２２３とから構成されている。
【００１３】
障子２を構成する左右の縦框２３、２４は、図２に示すように、略同一形状をなしており、それぞれ縦框２３，２４の外周面を形成し、その屋外側内周面にガラス間口が形成されてなる中空形状の左右の縦框本体部２３１，２４１と、左右の縦框本体部２３１，２４１の外周面の屋内側端より外周方向に延設される左、右縦框内壁部２３２，２４２と、左右の縦框本体部２３１，２４１の屋内側内周面に固定されガラス間口の屋内側を構成する押縁部材２３３，２４３とから構成されている。
そして、各框に形成されるガラス間口にガラスが装着されて障子２が形成されるとともに、下框２２の屋内側外周面のヒンジ片２２３を下枠に固定したヒンジ部材１５により支持することにより、障子２が窓枠１に対して、内倒し開閉可能に支持されている。
【００１４】
（網戸の構成）
機能面材である網戸３は、図１乃至３に示すように、網戸上框３１と網戸下框３２と左右の網戸縦框３３，３４を四周に組んでなる網戸框枠の内周面に網部材３５が装着されて構成されている。なお、網戸３は、窓枠１の左右の縦枠１３，１４との間、及び障子２の左右の縦框２３，２４との間をできるだけ大きくしないために、横通しにより框組されている。すなわち、左右の網戸縦框３３，３４の側面からビス頭が突出したり、また、ビス頭を納めるための厚みを確保したりする必要がないように、網戸の上下框３１，３２の内周面に対して左右の網戸縦框３３，３４の端面と突き当てて上下框３１，４２の外周面よりビスにより固定している。
網戸上框３１は、中空形状の網戸上框本体部３１１と、網戸上框本体部３１１の屋内側から屋内方向に向かって延設される網戸上壁部３１２とから構成されており、網戸上壁部３１２の屋内端は上方に屈曲されて係止片３１３が形成されている。
網戸下框３２は、中空形状の網戸下框本体部３２１から構成され、その屋内側面下端にはタイト材取付部３２１ａが形成されており、弾性材からなる防虫タイト材３６が取付けられている。
【００１５】
左右の網戸縦框３３，３４は、略同一形状をなしており、中空形状の左右の網戸縦框本体部３３１，３４１と、左右の網戸縦框本体部３３１、３４１の屋内側から屋内方向に向かって左右の縦框側壁部３３２，３４２とから構成されている。
そして、図２（ｂ）に示すように、左右の網戸縦框本体部３３１、３４１の外周面は左右の縦框側壁部３３２，３４２の外周面よりも段差Ｔの分だけやや内周に位置しているとともに、図５（ａ）に示すように、左右の網戸縦框３３，３４の下端部において左右の縦框側壁部３３２，３４２が所定高さ切欠かれて切欠部３３２ａ，３４２ａが形成されている。
【００１６】
（網戸の係止金具）
網戸３を内倒し窓の窓枠１に固定するために、網戸３の網戸左右縦框３３，３４の下端部位には下方係止金具５１，５１が固定されていると共に、網戸３の網戸上框３１には上方係止金具５２，５２が固定されている。
なお、図４に示す下方係止金具５１は、屋内側から見て網戸３の網戸左縦框３３の下端に取り付けられるものである。
【００１７】
網戸３を窓枠１に係止するための下方係止金具について説明する。
下方係止金具５１は、図３、４に示すように、網戸縦框３３，３４の下端に固定され、切欠部３３２ａ，３４２ａ位置に配置される本体部５１１と、本体部５１１の屋内側端部を外周側に屈曲してなる係止片５１２と、本体部５１１の屋外側に連続して形成されネジ孔５１３ａを有する縦固着部５１３と、縦固着部５１３の下方部位を内周方向に屈曲して形成されネジ孔５１４ａを有する下固着部５１４と、本体部５１１の下面より下方に突出する位置決め片５１５とから構成されている。
そして、図５に示すように、下方係止金具５１の本体部５１１の形状は、網戸縦框３３，３４の下端に形成された切欠部３３２ａ，３４２ａの形状と略一致しており、下方係止金具５１の厚さ、特に、本体部５１１及び縦固着部５１３の厚さtは、左右の網戸縦框本体部３３１、３４１の外周面と左右の網戸縦框側壁部３３２，３４２の外周面との段差Ｔと略同一に形成されている。
【００１８】
以上のように構成された下方係止金具５１を網戸縦框３３，３４に固定するためには、下方係止金具５１の本体部５１１，５１１を網戸縦框３３，３４の切欠部３３２ａ，３４２ａの部分に配置した状態、即ち、網戸縦框３３，３４の網戸縦框側壁部３３２，３４２の下端に連続した状態で下方係止金具５１の縦固着部５１３をネジ孔５１３ａを介して網戸縦框本体部３３１，３４１に固着すると共に、同下固着部５１４をネジ孔５１４ａを介して網戸３の下面にネジ等の固着手段により固着する。このとき、左右の網戸縦框本体部３３１、３４１の外周面の位置と左右の網戸縦框側壁部３３２，３４２の外周面の位置とに段差Ｔを有し、その段差Ｔは下方係止金具５１の厚さｔと略同一であるので、下方係止金具５１を固着した際には、下方係止金具５１，５１の本体部５１１，５１１は網戸縦框側壁部３３２，３４２と平面視で重複して本体部５１１，５１１の外周面と左右の網戸縦框側壁部３３２，３４２の外周面とが面一となる。これによって、左右の縦枠１３，１４の左、右外壁部１３２，１４２に設けられた気密材ｓ１３、ｓ１４の舌片ｓ１３２，ｓ１４２が下方係止金具５１，５１の外周面と左右の縦框側壁部３３２，３４２の外周面とに対して均一に当接させることができる。
【００１９】
次に、網戸３を窓枠１に係止するための上方係止金具５２について、説明する。
上方係止金具５２は、網戸上框３１にネジ止めされる本体部５２１と、本体部５２１の上端より屋内側に延設される上腕部５２２と、上腕部５２２の屋内側端部を上方に屈曲してなる係止片５２３とから構成されている。上方係止金具５２の本体部５２１には、網戸上框３１の網戸上框本体部３１１にネジ止め固定するための長孔５２１ａが形成されており、上方係止金具５２をネジ等の固定手段により網戸上框本体部３１１に対して上下方向に位置調節自在に固定することができる。
網戸上框３１の網戸上壁部３１２には、上方係止金具５２の固定部位の近傍位置に上方係止金具５２の係止片５２３が貫通する貫通孔（図示しない）が形成されており、網戸上框３１の網戸上框本体部３１１に取り付けられた上方係止金具５２を長孔５２１ａに沿ってその上端位置に配置することにより、図６（ｂ）に示すように、係止片５２３が貫通孔より上方に突出するようになっている。
そして、網戸上框３１の係止片３１３と上方係止金具５２の係止片５２３とによって、窓枠１の上枠１１の上外壁部１１２の下端を挟み込むことにより、網戸３の網戸上框３１を上枠１１に対して係止することができる。
【００２０】
（網戸の取り付け方法）
上記の網戸３を内倒し窓の屋外側に取付ける取付け方法について、図７乃至９を示しながら、説明する。
図７に示すように、網戸上框３１に上方係止金具５２が取付けられ、左右の網戸縦框３３，３４の下端に下方係止金具５１，５１がそれぞれ取り付けられた網戸３を、内倒し窓の障子２を開放した状態において、窓枠１と障子２との上方の開口部分より斜め下方に向かって挿入する。
このとき、図２に示すように、網戸３の縦框側壁部３３２，３４２の外周面間の寸法は左右の縦枠１３，１４の左、右外壁部１３２，１４２の内径寸法に対して略同じか若干小さく、さらに具体的にいえば、左、右外壁部１３２，１４２に配置された気密材ｓ１３、ｓ１４の舌片ｓ１３２，ｓ１４２が網戸３の縦框側壁部３３２，３４２の外周面に当接するのに適度な間隔分だけ小さく設定されており、下方係止金具５１、５１の係止片５１２，５１２は左右の縦枠１３，１４の左、右外壁部１３２，１４２の内径寸法よりも大きく設定されているので、網戸３は縦枠１３，１４の左、右外壁部１３２，１４２間をがたつくことなくスムーズに導かれるとともに、網戸３の下端部分が窓枠１の屋外側に抜け落ちることがない。
【００２１】
さらに、網戸３の挿入を進めていくと、下方係止金具５１，５１の係止片５１２，５１２が左右の縦枠１３，１４の左、右外壁部１３２，１４２の屋内側面に当接して導かれ、障子２の下框２２の下框外壁部２２２を網戸３の網戸下框３２に取り付けられた防虫タイト材３６がその弾性により乗り越えて、図８に示すように、網戸３は障子２の屋外側に配置され、下方係止金具５１，５１の本体部５１１，５１１が窓枠１の下枠１２の上面に当接する。
【００２２】
この状態から、下方係止金具５１，５１の本体部５１１，５１１を支点にして網戸３を屋外側に回動することにより、網戸３の網戸上框３１の係止片３１３が上枠１１の上外壁部１１２の屋内側面に当接して、網戸３を適切な位置に配置することができる。
その後、上方係止金具５２，５２を上方に移動させ上枠１１の上外壁部１１２を網戸上框３１の係止片３１３と上方係止金具５２，５２の係止片５２３とで挟むことにより、網戸３を確実に固定することができる。
【００２３】
本実施形態においては、下方係止金具５１の本体部５１１が網戸３の左右の網戸縦框側壁部３３２，３４２と上下方向に重なって、外周面及び内周面がともに略面一となっているので、網戸３と窓枠１との間隔を必要最小限とすることができ、左右の縦枠１３，１４の左右外壁部１３２，１４２に設けた気密材の当接状態が上下方向全長に亘って均一とすることができる。また、網戸３の内周と障子２の外周との間隔も必要最小限とすることができ、係止金具等が突出することによる開口面積の減少を防止することができる。
【００２４】
以上のように、本実施形態においては、網戸３の左右の網戸縦框の下端に外周方向に突出する係止部を備える係止金具を取り付けることで、屋内側から網戸を屋外に落下させることなく障子の屋外側に配置することができるとともに、係止金具は、網戸縦枠の下端に連続して面一状態となるように取り付けているので、窓枠と網戸との隙間を最小限にすることができ、かつ、気密材の当接状態を良好にして気密を確実に行うことができるとともに、網戸を屋内側からスムーズに設置することができる。
【符号の説明】
【００２５】
１        ：窓枠
１１      ：上枠
１１１    ：上枠本体
１１２    ：上外壁部
１２      ：下枠
１２１    ：下枠本体
１２２    ：立上壁
１３      ：縦枠
１３１    ：（左）縦枠本体
１３２    ：左外壁部
１３３    ：気密片
１４      ：縦枠
１４１    ：（右）縦枠本体
１４２    ：右外壁部
１４３    ：気密片
１５      ：ヒンジ部材
２        ：障子
２１      ：上框
２１１    ：上框本体部
２１２    ：上框内壁部
２２      ：下框
２２１    ：下框本体部
２２２    ：下框外壁部
２２３    ：ヒンジ片
２３      ：縦框
２３１    ：縦框本体部
２３２    ：左縦框内壁部
２３３    ：押縁部材
２４      ：縦框
２４１    ：縦框本体部
２４２    ：右縦框内壁部
２４３    ：押縁部材
３        ：網戸
３１      ：網戸上框
３１１    ：網戸上框本体部
３１２    ：網戸上壁部
３１３    ：係止片
３２      ：網戸下框
３２１    ：網戸下框本体部
３２１ａ  ：タイト材取付部
３３      ：網戸（左）縦框
３３１    ：網戸縦框本体部
３３２    ：網戸縦框側壁部
３３２ａ  ：切欠部
３４      ：網戸（右）縦框
３４１    ：網戸縦框本体部
３４２    ：縦框側壁部
３４２    ：網戸縦框側壁部
３４２ａ  ：切欠部
３５      ：網部材
３６      ：防虫タイト材
５１      ：下方係止金具
５１１    ：本体部
５１２    ：係止片
５１３    ：縦固着部
５１３ａ  ：ネジ孔
５１４    ：下固着部
５１４ａ  ：ネジ孔
５１５    ：位置決め片
５２      ：上方係止金具
５２１    ：本体部
５２１ａ  ：長孔
５２２    ：上腕部
５２３    ：係止片
ｓ１３    ：気密材
ｓ１３２  ：舌片
ｓ１４    ：気密材
ｓ１４２  ：舌片
【図１】
0006510344.tif 000002
【図２】
0006510344.tif 000003
【図３】
0006510344.tif 000004
【図４】
0006510344.tif 000005
【図５】
0006510344.tif 000006
【図６】
0006510344.tif 000007
【図７】
0006510344.tif 000008
【図８】
0006510344.tif 000009
【図９】
0006510344.tif 000010